(57)【要約】      （修正有）【課題】作業足場として確立したもので危険な高所での脚立作業を安全に行えるようにする作業床付足場兼用脚立を提供する。【解決手段】横転防止の機能を持ったスライド式アウトリガーを支柱下部に取り付ける。脚立支柱の正面及び側面の鉛直軸に対する異なる軸角度を繋ぎ合わせる機能を持つ立体蝶番を脚立支柱側面上部に取り付ける。脚立支柱に設けた折畳手摺支柱の上部に転落防止の安全柵・安全帯フックが掛けられる手摺を取り付ける。脚立最上部天板に蝶番で取り付けた折畳天板を広げることにより作業床と足場の機能を持たせる。複数台の脚立を足場歩み板と親綱（手摺バー）を取り付けて連続足場として作業可能となる。【選択図】図１
0003191704.tif 000002
【実用新案登録請求の範囲】
【請求項１】
アウトリガーを脚立に取り付けること。
【請求項２】
異なる軸角度をもつ平面接合可能な立体蝶番。
【請求項３】
転落防止の安全柵、安全帯フックが掛けられる手摺を脚立に取り付けること。
【請求項４】
取り付けた折畳式の天板を広げて使用することで、脚立に作業床と足場の機能を持たせること。
【考案の詳細な説明】
【技術分野】
【０００１】
本考案は、高所作業に於ける脚立と作業床に関するものである。
【背景技術】
【０００２】
従来、0.8ｍを超える高さでは脚立の最上部天板及び上部から１段目の踏み桟に立ち上っての作業は、安全上の問題から出来ない。また、脚立メーカーの取り扱い説明では「脚立をまたいで作業をする」という行為も、安全上認められていない。2mを超える高所作業となると、脚立作業そのものが認められていないのが現状である。しかし、実際の現場では脚立の最上部天板及び上部から１段目の踏み桟の部位を使っての作業が多く行われている。作業においてはこの方法での立ち作業の方が足元のバランスがよく、体重移動も楽で安全に作業が行えるからである。現場作業の多くは２ｍを超えていても大掛かりな足場を必要としない高所でのものであり、作業者の自己責任のもとで暗黙に作業が行われている。このように、脚立作業においては、作業指示者・監督者と作業者の間での安全に対する意識と実用面での矛盾があるため、安全に高所作業の出来る脚立が必要である。
【考案の概要】
【考案が解決しようとする課題】
【０００３】
手すりや作業床がない等のため、脚立作業は２ｍ以下で行うという制限があった。また、転落防止の安全フック掛けがないことや天板の床面積が小さいことで、２ｍを超えると脚立では安全作業はできないとされていた。しかし、実際の現場では専用足場を組んで作業を行うことが困難な場合が多く、危険を承知で脚立作業を行っているのが現実である。本考察は折り畳み式脚立の上部に安全帯フック掛け付手摺と囲み枠手摺を設けることで安全作業柵を形成し、天板部を折畳式にして、広げた時に作業床としての面積を確保した折畳天板、及び脚立の横転防止のアウトリガーを取り付けることで、作業足場として確立したもので危険な高所での脚立作業を安全に行えるようにするものである。
【課題を解決するための手段】
【０００４】
天板を折り畳み式にして作業床とする。広げることにより作業床作業では床面積を確保することができる。
【０００５】
転落防止の為、手摺支柱を折り畳み式にして、使用時には鉛直に立つように脚立支柱に立体蝶番（図３・図４参照）で取り付け、脚立本体上部のヒンジに鉛直の面をもつ折畳手摺支柱固定金具を介して固定する。さらに折畳手摺支柱には安全帯フック掛け付手摺りと囲み枠用の手摺及び筋交いを蝶番及び取付金具で作業囲み枠を組み立てる。
【０００６】
折畳手摺支柱の上部に、安全帯のフックが掛けられる手摺りと囲み枠用の手摺りを、それぞれの対面する折畳手摺支柱に留め金具で固定する。また、支柱の振れ止めとして筋交いも組み立てる。折畳天板を広げることにより作業床と作業枠が出来る。
【０００７】
脚立の横転を防ぎ、作業床付足場兼用脚立の全方向での安定を確保する為、支柱側面にスライド式アウトリガーを取り付ける。
【考案の効果】
【０００８】
安全柵・作業床・アウトリガー・安全帯フック掛けを備えることで、従来不可能とされていた脚立での高所作業が可能となる。
【０００９】
安全帯フックの使用が可能となり、脚立作業での作業員の転落事故を防止できる。
【００１０】
アウトリガーにより脚立の支持面積が広がり横転事故を防ぎ、脚立を足場として完全なものとできる。
【００１１】
主要部材を折り畳み式・スライド式として脚立本体と一体化することにより、組立・解体を迅速・確実に行える。
【００１２】
脚立作業に於ける下部での転倒防止のための脚立抑えの作業要員が不要となり、最少人数の作業員で脚立作業が行える。
【図面の簡単な説明】
【００１３】
【図１】脚立を水平に保てるようにして開脚し、スライド式アウトリガーを張り出す。開脚時、側面の開脚角度は約７５度である。又、正面踏み桟側の開脚角度は常に約８４度である。
【図２】脚立天板上部での作業時は両側面の折畳手摺支柱を組み立てて作業床を作る。まず脚立の支柱に立体蝶番（図３・図４参照）にて取り付けてある折畳手摺支柱を、脚立の開脚の角度から鉛直に立てる。これを脚立本体上部のヒンジに折畳手摺支柱固定金具で両側面に緊結固定する。次に、脚立両側面の安全帯フック掛け付き手摺り、囲み枠手摺り、折畳手摺支柱の振れ止め筋交いを組み立てる。折畳天板の折り畳み部を開くと作業床面積を確保できる。また、脚立天板上部の作業床を使用しないで片側の側面の折畳手摺支柱を立てて安全帯が掛けられる手摺を作るときは、脚立の支柱に立体蝶番（図３・図４参照）にて取り付けてある折畳手摺支柱を、脚立の開脚の角度から鉛直に立てる。これを脚立本体上部のヒンジに折畳手摺支柱固定金具で片側面に緊結固定する。最後に安全帯フック掛け付手摺りと折畳手摺支柱振れ止め筋交いを組み立てる。
【図３】立体蝶番の基本の動作を示す。従来の蝶番は、蝶番軸が平行で線対称とする平面の回転運動による動作であるが、この立体蝶番は蝶番軸を円錐状にしたもので、お互いの面が異なる平面軸にあっても、異なる軸角度の開きに応じた角度をもって立体回転する事でお互いを接合する事が出来る。したがって図１に挙げた７５度と８４度の異なる軸角度でも平面同士の接合が可能である。
【図４】立体蝶番の基本部材を示す。
【実施例】
【００１４】
複数の作業床付足場兼用脚立と足場歩み板の使用により、連続作業が可能となる。使用のための手順は、まず図2の説明の要領で２台の脚立を組み立て、足場歩み板を２台の脚立の天板又は両方の踏み桟に乗せて差し渡す。両脚立の天板外側面又は、外側面になる踏み桟は安全確保のため長めに張り出し、ずれ防止の為足場歩み板を天板又は踏み桟と結束する。次に両側面に親綱（手摺バー）を対面する安全フック掛けに掛けて差し渡す。対面する外側の囲み枠手摺を組み立てるが、内側の囲み枠手摺は組み立てない。
【表１】
0003191704.tif 000003
【産業上の利用可能性】
【００１５】
本考案により、高所での使用が出来ないとされていた脚立の構造上の問題を解決が可能となり、脚立作業が不可欠である建設業の現場や電気工事、設備工事、メンテナンス作業など、多業種において貢献できる。
【図１】
0003191704.tif 000004
【図２】
0003191704.tif 000005
【図３】
0003191704.tif 000006
【図４】
0003191704.tif 000007
【手続補正書】
【提出日】平成26年3月5日(2014.3.5)
【手続補正１】
【補正対象書類名】実用新案登録請求の範囲
【補正対象項目名】全文
【補正方法】変更
【補正の内容】
【実用新案登録請求の範囲】
【請求項１】
横転防止の機能を持ったスライド式アウトリガーを支柱下部に取り付けたことを特徴とする脚立。
【請求項２】
脚立支柱の正面及び側面の鉛直軸に対する異なる軸角度を繋ぎ合わせる機能を持つ立体蝶番を脚立支柱側面上部に取り付けたことを特徴とする請求項１に記載の脚立。
【請求項３】
脚立支柱に設けた折畳手摺支柱の上部に転落防止の安全柵・安全帯フックが掛けられる手摺を取り付けたことを特徴とする請求項１に記載の脚立。
【請求項４】
脚立最上部天板に蝶番で取り付けた折畳天板を広げることにより作業床と足場の機能を持たせたことを特徴とする請求項１に記載の脚立。
【請求項５】
図５のように、複数台の脚立を足場歩み板と親綱（手摺バー）を取り付けて連続足場として作業可能となることを特徴とする請求項１に記載の脚立。
【手続補正２】
【補正対象書類名】明細書
【補正対象項目名】００１４
【補正方法】変更
【補正の内容】
【００１４】
複数の作業床付足場兼用脚立と足場歩み板の使用により、連続作業が可能となる。使用のための手順は、まず図2の説明の要領で２台の脚立を組み立て、足場歩み板を２台の脚立の天板又は両方の踏み桟に乗せて差し渡す。両脚立の天板外側面又は、外側面になる踏み桟は安全確保のため長めに張り出し、ずれ防止の為足場歩み板を天板又は踏み桟と結束する。次に両側面に親綱（手摺バー）を対面する安全フック掛けに掛けて差し渡す。対面する外側の囲み枠手摺を組み立てるが、内側の囲み枠手摺は組み立てない。
【手続補正３】
【補正対象書類名】明細書
【補正対象項目名】００１３
【補正方法】変更
【補正の内容】
【００１３】
【図１】作業床付足場兼用脚立の正面図を示す。脚立支柱側面の下部に脚立横転防止の為のスライド式アウトリガーを取り付けている。脚立使用時はアウトリガーを広げて接地角度75度を確保して固定する。脚立支柱の上部に立体蝶番（図３・図４参照）を介して折畳手摺支柱を取り付ける。手摺を使用する時は折畳手摺支柱を鉛直に立てて折畳手摺支柱固定金具を介して脚立支柱上部に緊結固定する。手摺支柱の向かい合った面に囲み枠手摺と筋交いを両面に組み付ける。手摺の作業床面からの高さは作業が安全に行える高さ（約８５cm）とする。
【図２】作業床付足場兼用脚立の平面図と側面図を示す。作業床付足場として使用する時は、まず両側面の折畳手摺支柱を図１の説明の要領で固定し、安全帯フック掛け付手摺と筋交いを両面に組み付ける。次に脚立最上部天板に蝶番で取り付けてある折畳天板を広げることで作業床としての有効面積を確保する。通常の脚立として脚立上部作業を行う時は、作業者の転落防止の為に片側面の折畳手摺支柱を図１の説明の要領で固定し、安全帯フック掛け付手摺と筋交いを組み付ける。アウトリガー補強用筋交いは、脚立本体が長尺になりアウトリガーの強度を補強する必要がある場合に使用する。
【図３】立体蝶番の平面基本図、立面蝶番回転図、平面蝶番回転図を示す。平面基本図では、円錐状の蝶番軸と蝶番A・蝶番Bと蝶番軸抜けどめ鍔の構成を示している。立面蝶番回転図では、蝶番のそれぞれの開き角度を示している。平面蝶番回転図では、立面蝶番回転図と同じ蝶番の開き角度を平面で示している。
【図４】立体蝶番の基本構成部材を示す。円錐形の蝶番軸部材の両端には、蝶番A及び蝶番Bが抜け出ないように蝶番軸抜けどめ鍔を取り付けている。蝶番軸の軸開き角度は、接合する立体の三方向軸の開き角度によって大きさが変化する。蝶番部材A及び蝶番部材Bは互いに接合し、蝶番軸巻き付け部はそれぞれ扇型となる。また蝶番軸の軸開き角度により半径と巻き付け長さは変化する。蝶番として組み立てる時は、蝶番軸巻き付け部は蝶番軸に円錐状に巻き付け加工して組み立てる。
【図５】複数の作業床付足場兼用脚立を用いて簡易連続作業床とした時の、側面図と平面図を示す。作業床付足場兼用脚立を向かい合うようにして設置し、図１・図２の説明の要領でそれぞれ組み付けるが、向かい合う囲み枠手摺と筋交いは開放しておく。次にそれぞれの脚立の外側になる踏み桟より10cmほどはみ出すように足場歩み板を差し渡し、両端部の踏み桟とバンド結束等をしてずれないように固定する。親綱（手摺バー）をそれぞれの親綱（手摺バー）の安全帯フック掛けに取り付け、一体の囲み枠とする。足場歩み板及び親綱（手摺バー）は、安全作業を行う為の強度を持っているものを使用する。
【手続補正４】
【補正対象書類名】図面
【補正対象項目名】図１
【補正方法】変更
【補正の内容】
【図１】
0003191704.tif 000008
【手続補正５】
【補正対象書類名】図面
【補正対象項目名】図２
【補正方法】変更
【補正の内容】
【図２】
0003191704.tif 000009
【手続補正６】
【補正対象書類名】図面
【補正対象項目名】図３
【補正方法】変更
【補正の内容】
【図３】
0003191704.tif 000010
【手続補正７】
【補正対象書類名】図面
【補正対象項目名】図４
【補正方法】変更
【補正の内容】
【図４】
0003191704.tif 000011
【手続補正８】
【補正対象書類名】図面
【補正対象項目名】図５
【補正方法】追加
【補正の内容】
【図５】
0003191704.tif 000012
【手続補正書】
【提出日】平成26年5月9日(2014.5.9)
【手続補正１】
【補正対象書類名】実用新案登録請求の範囲
【補正対象項目名】請求項５
【補正方法】変更
【補正の内容】
【請求項５】
複数台の脚立を使用して、足場歩み板と親綱を取り付けることにより連続足場として作業可能となることを特徴とする請求項１に記載の脚立。
【手続補正２】
【補正対象書類名】明細書
【補正対象項目名】００１４
【補正方法】変更
【補正の内容】
【００１４】
複数の作業床付足場兼用脚立と足場歩み板の使用により、連続作業が可能となる。使用のための手順は、まず図2の説明の要領で２台の脚立を組み立て、足場歩み板を２台の脚立の天板又は両方の踏み桟に乗せて差し渡す。両脚立の天板外側面又は、外側面になる踏み桟は安全確保のため長めに張り出し、ずれ防止の為足場歩み板を天板又は踏み桟と結束する。次に両側面に親綱を対面する安全帯フック掛けに掛けて差し渡す。対面する外側の囲み枠手摺を組み立てるが、内側の囲み枠手摺は組み立てない。
【手続補正３】
【補正対象書類名】明細書
【補正対象項目名】００１３
【補正方法】変更
【補正の内容】
【００１３】
【図１】作業床付足場兼用脚立の正面図を示す。脚立支柱側面の下部に脚立横転防止の為のスライド式アウトリガーを取り付けている。脚立使用時はアウトリガーを広げて接地角度75度を確保して固定する。脚立支柱の上部に立体蝶番（図３・図４参照）を介して折畳手摺支柱を取り付ける。手摺を使用する時は折畳手摺支柱を鉛直に立てて折畳手摺支柱固定金具を介して脚立支柱上部に緊結固定する。手摺支柱の向かい合った面に囲み枠手摺と筋交いを両面に組み付ける。手摺の作業床面からの高さは作業が安全に行える高さ（約85cm）とする。
【図２】作業床付足場兼用脚立の平面図と側面図を示す。作業床付足場として使用する時は、まず両側面の折畳手摺支柱を
【図１】の説明の要領で固定し、安全帯フック掛け付手摺と筋交いを両面に組み付ける。次に脚立最上部天板に蝶番で取り付けてある折畳天板を広げることで作業床としての有効面積を確保する。通常の脚立として脚立上部作業を行う時は、作業者の転落防止の為に片側面の折畳手摺支柱を図１の説明の要領で固定し、安全帯フック掛け付手摺と筋交いを組み付ける。アウトリガー補強用筋交いは、脚立本体が長尺になりアウトリガーの強度を補強する必要がある場合に使用する。
【図３】立体蝶番の平面基本図、立面蝶番回転図、平面蝶番回転図を示す。平面基本図では、円錐状の蝶番軸と蝶番A・蝶番Bと蝶番軸抜けどめ鍔の構成を示している。立面蝶番回転図では、蝶番のそれぞれの開き角度を示している。平面蝶番回転図では立面蝶番回転図と同じ蝶番の開き角度を平面で示している。
【図４】立体蝶番の基本構成部材を示す。円錐形の蝶番軸部材の両端には、蝶番A及び蝶番Bが抜け出ないように蝶番軸抜けどめ鍔を取り付けている。蝶番軸の軸開き角度は、接合する立体の三方向軸の開き角度によって大きさが変化する。蝶番部材A及び蝶番部材Bは互いに接合し、蝶番軸巻き付け部はそれぞれ扇型となる。また蝶番軸の軸開き角度により半径と巻き付け長さは変化する。蝶番として組み立てる時は、蝶番軸巻き付け部は蝶番軸に円錐状に巻き付け加工して組み立てる。
【図５】複数の作業床付足場兼用脚立を用いて簡易連続作業床とした時の、側面図と平面図を示す。作業床付足場兼用脚立を向かい合うようにして設置し、図１・図２の説明の要領でそれぞれ組み付けるが、向かい合う囲み枠手摺と筋交いは開放しておく。次にそれぞれの脚立の外側になる踏み桟より10cmほどはみ出すように足場歩み板を差し渡し、両端部の踏み桟とバンド結束等をしてずれないように固定する。親綱をそれぞれの親綱の安全帯フック掛けに取り付け、一体の囲み枠とする。足場歩み板及び親綱は、安全作業をおこなう為の強度を持っているものを使用する。
【手続補正４】
【補正対象書類名】図面
【補正対象項目名】図５
【補正方法】変更
【補正の内容】
【図５】
0003191704.tif 000013